(57)【要約】【課題】  直流定電流供給開始時における待機時間が短い定電流駆動方式の測定装置を得る。【解決手段】  定電流駆動方式の測定装置において、直流定電流回路１１は、測定センサ部２に直流定電流を供給し、アンプ回路１３は、測定センサ部２のセンサ出力信号を入力信号とする。カップリングキャパシタＣｃは、アンプ回路への直流バイアスの通電を遮断する。時定数制御部１５は、直流定電流の供給開始から測定動作開始までの間における所定期間において、アンプの前段回路の時定数を、測定動作期間の所定の時定数より小さくする制御を行う。【選択図】  図１
2020178255.tif 000002
【特許請求の範囲】
【請求項１】
定電流駆動方式の測定装置において、
測定センサ部に直流定電流を供給する直流定電流回路と、
前記測定センサ部のセンサ出力信号を入力信号とするアンプ回路と、
前記アンプ回路への直流バイアスの通電を遮断するカップリングキャパシタと、
前記カップリングキャパシタと接続し前記アンプ回路の前段回路を構成すると伴にインピーダンスを可変とするインピーダンス部と、
前記直流定電流の供給開始から測定動作開始までの間における所定期間において、前記インピーダンス部を制御して前記アンプ回路の前段回路の時定数を、測定動作期間の所定の時定数より小さくする時定数制御部と、
を備えることを特徴とする測定装置。
【請求項２】
前記インピーダンス部は、並列および／または直列の抵抗器と、前記抵抗器の一つと接続され回路を閉状態および開状態にするスイッチ部とを備え、
前記時定数制御部は、前記スイッチ部の閉状態と開状態を切り替えることで前記インピーダンス部のインピーダンスの大きさを切り替えることを特徴とする請求項１記載の測定装置。
【請求項３】
前記直流定電流の供給を検知する電流センサをさらに備え、
前記時定数制御部は、前記電流センサにより検知された前記直流定電流の供給時に前記インピーダンスを小さくし所定期間後に前記インピーダンスを元に戻すように前記スイッチ部を切り替えるコントローラを備えること、
を特徴とする請求項２記載の測定装置。
【請求項４】
前記スイッチ部は、プッシュスイッチであり、前記時定数制御部と一体であることを特徴とする請求項２記載の測定装置。
【請求項５】
前記プッシュスイッチは、前記プッシュスイッチを押下げると、前記測定装置への電源の供給を開始させるとともに、押下げている間は前記インピーダンスを小さくし、前記所定期間経過後に当該プッシュスイッチを離すと前記インピーダンスが元に戻る連動スイッチであることを特徴とする請求項４記載の測定装置。
【請求項６】
前記インピーダンス部は、可変抵抗器を備え、
前記時定数制御部は、前記所定期間において、前記可変抵抗器の抵抗値を制御して、前記アンプ回路の前段回路の時定数を、前記測定動作期間の所定の時定数より小さくするコントローラを備えることを特徴とする請求項１記載の測定装置。
【発明の詳細な説明】
【技術分野】
【０００１】
本発明は、測定装置に関するものである。
【背景技術】
【０００２】
音響振動測定装置などの測定装置の測定センサ部には、定電流駆動（ＣＣＬＤ：Constant Current Line Drive）方式のセンサ部を使用しているものがある（例えば特許文献１参照）。
【０００３】
そのような装置では、装置本体側からセンサ駆動用の直流定電流が同軸ケーブルなどのケーブルを介して測定センサ部に供給され、測定センサ部から出力されるセンサ出力信号（交流信号）がそのケーブルを介して装置本体側へ伝播する。装置本体側では、直流バイアスとセンサ出力信号を分離するために、カップリングキャパシタが設けられており、カップリングキャパシタを介してセンサ出力信号が計測される。
【先行技術文献】
【特許文献】
【０００４】
【特許文献１】特表２０１１−５２１２２５号公報
【発明の概要】
【発明が解決しようとする課題】
【０００５】
通常、センサ出力信号は微弱であるため、装置本体側の入力インピーダンスは比較的高く設定されている。そのため、アンプ回路の前段回路における時定数が大きくなり、測定装置本体の電源オン時などの測定センサ部への直流定電流供給開始時における過渡応答の時間が比較的長くなってしまい、当該測定装置での測定が可能となるまで比較的長い時間待機する必要がある。
【０００６】
本発明は、上記の問題に鑑みてなされたものであり、測定センサ部への直流定電流供給開始時における待機時間が短い測定装置を得ることを目的とする。
【課題を解決するための手段】
【０００７】
本発明に係る測定装置は、定電流駆動方式の測定装置であって、測定センサ部に直流定電流を供給する直流定電流回路と、測定センサ部のセンサ出力信号を入力信号とするアンプ回路と、アンプ回路への直流バイアスの通電を遮断するカップリングキャパシタと、カップリングキャパシタと接続しアンプ回路の前段回路を構成すると伴にインピーダンスを可変とするインピーダンス部と、直流定電流の供給開始から測定動作開始までの間における所定期間において、インピーダンス部を制御してアンプ回路の前段回路の時定数を、測定動作期間の所定の時定数より小さくする時定数制御部とを備える。
【発明の効果】
【０００８】
本発明によれば、直流定電流供給開始時における待機時間が短い測定装置が得られる。
【図面の簡単な説明】
【０００９】
【図１】図１は、本発明の実施の形態１に係る測定装置の構成を示す回路図である。
【図２】図２は、本発明の実施の形態２に係る測定装置の構成を示す回路図である。
【図３】図３は、本発明の実施の形態３に係る測定装置の構成を示す回路図である。
【図４】図４は、本発明の実施の形態４に係る測定装置の構成を示す回路図である。
【図５】図５は、本発明の実施の形態５に係る測定装置の構成を示す回路図である。
【発明を実施するための形態】
【００１０】
以下、図に基づいて本発明の実施の形態を説明する。
【００１１】
実施の形態１．
【００１２】
図１は、本発明の実施の形態１に係る測定装置の構成を示す回路図である。
【００１３】
図１に示す測定装置は、定電流駆動方式の測定装置であって、例えば、音響振動計測器である。図１に示す測定装置は、装置本体１および測定センサ部２を備える。例えば、装置本体１および測定センサ部２は同軸ケーブルなどのケーブル３で接続される。例えば、ケーブル３は、コネクタなどで、装置本体１および測定センサ部２の一方または両方に対して着脱可能となっている。なお、装置本体１および測定センサ部２が一体として構成される場合、外部に露出したケーブル３の代わりに当該測定装置内部の配線が使用される。
【００１４】
図１に示すように、装置本体１は、直流定電流回路１１、電流センサ１２、アンプ回路１３、信号処理部１４、時定数制御部１５、前段回路１６を備える。前段回路１６は、カップリングキャパシタＣｃ、およびインピーダンス部１７で構成される。
【００１５】
直流定電流回路１１は、所定電源電圧Ｖｃｃ（例えば＋２４ボルト）の定電圧電源に接続され、所定値の定電流（直流電流）を生成する電源回路であって、測定センサ部２に直流定電流を供給する。この実施の形態では、直流定電流回路１１は、ケーブル３を介して測定センサ部２に直流定電流を供給する。そのため例えば、装置本体１（定電圧電源および直流定電流回路１１）が電源オン状態であっても、ケーブル３が接続されていない状態では、直流定電流回路１１の出力電流は、略ゼロとなる。
【００１６】
電流センサ１２は、直流定電流回路１１とケーブル３（あるいは上述の内部配線）との間に設けられ、直流定電流回路１１の出力電流を検知する。つまり、電流センサ１２は、上述の直流定電流の供給を検知する。
【００１７】
カップリングキャパシタＣｃは、アンプ回路１３への上述の直流バイアスの通電を遮断する。この実施の形態では、カップリングキャパシタＣｃは、ケーブル３（あるいは上述の内部配線）とアンプ回路１３との間に設けられている。
【００１８】
アンプ回路１３は、測定センサ部２のセンサ出力信号を入力信号とする回路である。この実施の形態では、アンプ回路１３は、カップリングキャパシタＣｃを介して、ケーブル３（あるいは上述の内部配線）に電気的に接続される。
【００１９】
インピーダンス部１７は、例えば抵抗素子であって、アンプ回路１３の入力インピーダンスを設定するためのものである。センサ出力信号（交流信号）の振幅は小さいため、入力インピーダンスを高めるために、比較的高い抵抗値（例えば１メガオーム）の抵抗素子がインピーダンス部１７に使用される。
【００２０】
信号処理部１４は、例えば、センサ出力信号のＡ／Ｄ変換するＡ／Ｄ変換器と、Ａ／Ｄ変換後のセンサ出力信号を処理する信号処理プログラムを実行するＤＳＰ（Ｄｉｇｉｔａｌ Ｓｉｇｎａｌ Ｐｒｏｃｅｓｓｏｒ）とを備え、センサ出力信号に対して所定の信号処理を行い、測定対象の数値を導出し、図示せぬ表示装置で表示したり、図示せぬ通信装置で外部へ送信する。例えば、当該測定装置が騒音計である場合、測定センサ部にマイクロホンが使用され、信号処理部１４は、センサ出力信号から音圧レベルの周波数分布などを導出する。また、例えば、当該測定装置が振動系である場合、測定センサ部に加速度ピックアップが使用され、信号処理部１４は、センサ出力信号から振動強度（振幅）の周波数分布などを導出する。
【００２１】
なお、当該測定装置に信号処理部１４を設けず、センサ出力信号を外部へ出力するまたは記録するようにしてもよい。
【００２２】
時定数制御部１５は、上述の直流定電流の供給開始から測定動作開始までの間における所定期間において、アンプ回路１３の前段回路１６の時定数を、測定動作期間（測定動作開始から測定動作終了までの期間、つまり、センサ出力信号に基づき測定対象の値が適切に導出される期間）の所定の時定数より小さくする制御を行う回路である。
【００２３】
つまり、アンプ回路１３の前段回路１６におけるインピーダンス部１７とカップリングキャパシタＣｃは、１次のハイパスフィルタとみなせ、その時定数は、主にインピーダンス部１７の抵抗値とカップリングキャパシタＣｃの静電容量値との積となる。そして、この時定数が大きいほど、直流定電流の供給開始時における当該前段回路１６の過渡応答（略ステップ応答）の収束時間が長くなる。他方、測定精度に対応して、所望のレベルまで、この過渡応答が収束するのを待つ必要がある。そのため、時定数制御部１５は、上述の所定期間（つまり、供給開始から測定動作開始までの非測定期間）において、当該前段回路１６の時定数を小さくする制御を行うことで、過渡応答の収束時間を強制的に短くし、測定動作開始までの時間（つまりの上述の所定期間の時間長）を短くする。
【００２４】
実施の形態１では、インピーダンス部１７は、（ａ）抵抗Ｒｉｎと、（ｂ）抵抗Ｒｔと、（ｃ）スイッチ部ＳＷとを備える。具体的には、実施の形態１では、スイッチ部ＳＷは、抵抗Ｒｔと直列に接続され当該部分の回路を閉状態または開状態にすることにより抵抗Ｒｉｎと抵抗Ｒｔとを並列に電気的に接続して合成抵抗を形成したり、抵抗Ｒｉｎと抵抗Ｒｔを電気的に切断して抵抗Ｒｔを電気的に無効にしたりする。実施の形態１では、スイッチ部ＳＷは、トランジスタなどの半導体スイッチング素子、リレーなどであって、制御信号によって電気的に動作するスイッチである。
【００２５】
実施の形態１では、抵抗Ｒｔは、抵抗Ｒｉｎの抵抗値より十分小さい抵抗値（例えば１０オーム）を有する。
【００２６】
さらに、実施の形態１では、時定数制御部１５は、コントローラ１５ａを備える。コントローラ１５ａは、電流センサ１２により検知された直流定電流供給開始時からの所定期間においてスイッチ部ＳＷを閉状態および開状態の一方から他方へ切り替える。コントローラ１５ａは、マイクロコンピュータによって構成されていても、専用の電子回路によって構成されていてもよい。
【００２７】
具体的には、実施の形態１では、上述の所定期間においてスイッチ部ＳＷが閉状態となるように、コントローラ１５ａはスイッチ部ＳＷを制御する。
【００２８】
なお、ここでは、抵抗Ｒｔは、固定抵抗値の抵抗素子であるが、その代わりに、可変抵抗であってもよい。
【００２９】
次に、実施の形態１に係る測定装置の動作について説明する。
【００３０】
装置本体１と測定センサ部２とがケーブル３（あるいは内部配線）で電気的に接続された状態でユーザの操作によって装置本体１の電源が投入された時、装置本体１の電源が投入された後にユーザによって装置本体１と測定センサ部２とがケーブル３（あるいは内部配線）で電気的に接続された時などに、直流定電流回路１１から測定用センサの直流定電流の供給が開始する。
【００３１】
コントローラ１５ａは、電流センサ１２によって上述の直流定電流の供給開始が検知されると、スイッチ部ＳＷを開状態から閉状態へ変化させる。これにより、抵抗Ｒｔが電気的に並列に抵抗Ｒｉｎに接続される。したがって、アンプ回路１３の前段回路１６の時定数が、抵抗Ｒｉｎと抵抗Ｒｔとの合成抵抗値（Ｒｉｎ×Ｒｔ／（Ｒｉｎ＋Ｒｔ））とカップリングキャパシタＣｃの静電容量値との積となり、スイッチ部ＳＷが開状態であるときより小さくなる。
【００３２】
このため、直流定電流の供給開始に対する前段回路１６の過渡応答が短時間で収束し、短時間で信号処理部１４の測定動作開始が可能となる。
【００３３】
コントローラ１５ａは、スイッチ部ＳＷを閉状態に変化させた時点からタイマなどで計時し所定時間（つまり、過渡応答の収束に十分な時間であって、上述の所定期間の時間長）が経過すると、スイッチ部ＳＷを開状態に戻す。これにより、測定動作開始時には、アンプ回路１３の入力インピーダンスが高い状態となり、測定動作期間において、センサ出力信号が適切にアンプ回路１３に入力される。
【００３４】
以上のように、上記実施の形態１によれば、定電流駆動方式の測定装置において、直流定電流回路１１は、測定センサ部２に直流定電流を供給し、アンプ回路１３は、測定センサ部２のセンサ出力信号を入力信号とする。カップリングキャパシタＣｃは、アンプ回路への直流バイアスの供給を遮断する。時定数制御部１５は、直流定電流の供給開始から測定動作開始までの間における所定期間において、アンプ回路１３の前段回路１６の時定数を、測定動作期間の所定の時定数より小さく制御を行う。
【００３５】
これにより、定電流駆動方式の測定装置において、測定開始時における待機時間が短く設定できる。
【００３６】
実施の形態２．
【００３７】
図２は、本発明の実施の形態２に係る測定装置の構成を示す回路図である。
【００３８】
実施の形態２では、時定数制御部１５および前段回路１６において、コントローラ１５ａおよびスイッチ部ＳＷの代わりに、手動スイッチＳＷ１が使用される。
【００３９】
ここでは、手動スイッチＳＷ１として、（ａ）前記測定装置への電源の供給を開始させるとともに、（ｂ）（上述のスイッチ部ＳＷのように）抵抗Ｒｔと直列に接続され当該部分の回路を閉状態または開状態にする連動スイッチが使用される。つまり、例えば図２に示すように、連動スイッチとしての手動スイッチＳＷ１は、電源ライン２１にも接続され、電源スイッチとして使用される。電源ライン２１は、電源ラインその物と接続されている回路だけではなくトランジスタなどの半導体スイッチング素子、リレーなどと接続された電源ラインを制御する電源制御ラインであってもよい。あるいは、連動スイッチとしての手動スイッチＳＷ１は、信号処理部１４などのマイクロコンピュータのリセットラインにも接続され、リセットスイッチとして使用される。
【００４０】
実施の形態２では、手動スイッチＳＷ１は、ユーザが押下している間のみ、閉状態（導通状態）となるプッシュスイッチであって、上述の所定期間が、ユーザが手動スイッチＳＷ１を押下して手動で時定数制御をしている時間となる。したがって、インピーダンス部１７の抵抗Ｒｔの抵抗値は、一般的なユーザのスイッチ押下の操作時間で十分に上述の過渡応答が収束するような値に設定される。あるいはSW１は、タイマ機能も備えユーザが押下した後に所定期間閉状態を保ち、所定期間経過後に開状態となるようなものでもよい。その場合に抵抗Ｒｔの抵抗値は、所定期間で十分に上述の過渡応答が収束するような値に設定される。
【００４１】
また、手動スイッチＳＷ１は、単独スイッチでもよく、その場合には、ユーザが、電源オンや信号処理部１４などのマイクロコンピュータのリセットをスイッチＳＷ１とは別の手段で実行させた後で測定開始前の期間において手動スイッチＳＷ１を押下する。
【００４２】
なお、実施の形態２に係る測定装置のその他の構成および動作については実施の形態１と同様であるので、その説明を省略する。なお、実施の形態２では、実施の形態１における電流センサ１２は特に必要としない。
【００４３】
以上のように、上記実施の形態２によれば、実施の形態１と同様に、上述の所定期間においてアンプ回路１３の前段回路の時定数を小さくすることで、直流定電流供給開始時の過渡応答を短時間で収束させる。これにより、定電流駆動方式の測定装置での測定開始時における待機時間が短く設定できる。
【００４４】
実施の形態３．
【００４５】
図３は、本発明の実施の形態３に係る測定装置の構成を示す回路図である。
【００４６】
実施の形態３では、インピーダンス部１７において、抵抗Ｒｔおよびスイッチ部ＳＷの代わりに、可変抵抗部ＶＲｔが使用され、コントローラ１５ａは、可変抵抗部ＶＲｔの抵抗値を制御する。可変抵抗部ＶＲｔとしては、例えば、デジタルポテンショメータ、電子ボリュームなどが使用される。
【００４７】
実施の形態３では、可変抵抗部ＶＲｔは、抵抗Ｒｉｎに電気的に並列に接続されており、コントローラ１５ａは、上述の所定期間において可変抵抗部ＶＲｔの抵抗値を所定の第１抵抗値より低い第２抵抗値に変化させて、アンプ回路１３の前段回路の時定数を、測定動作期間の所定の時定数より小さくする。
【００４８】
実施の形態３では、測定動作期間におけるアンプ回路１３の入力インピーダンスは、抵抗Ｒｉｎの抵抗値と可変抵抗部ＶＲｔの第１抵抗値との合成抵抗値となる。したがって、適切な測定動作のために入力インピーダンスが十分高くなるように可変抵抗部ＶＲｔの第１抵抗値および抵抗Ｒｉｎの抵抗値が設定される。また、上述の所定期間における時定数が十分小さくなるように、抵抗Ｒｉｎの抵抗値および可変抵抗部ＶＲｔの第２抵抗値が設定される。実施の形態３では、第２抵抗値は、第１抵抗値より十分小さい値とされる。
【００４９】
次に、実施の形態３に係る測定装置の動作について説明する。
【００５０】
実施の形態３では、コントローラ１５ａは、電流センサ１２によって上述の直流定電流の供給開始が検知されると、可変抵抗部ＶＲｔの抵抗値を第１抵抗値から第２抵抗値へ変化させる。これにより、アンプ回路１３の前段回路の時定数が、抵抗Ｒｉｎの抵抗値と第２抵抗値との合成抵抗値とカップリングキャパシタＣｃの静電容量値との積となり、可変抵抗部ＶＲｔの抵抗値が第１抵抗値であるときより小さくなる。
【００５１】
コントローラ１５ａは、可変抵抗部ＶＲｔの抵抗値を第２抵抗値へ変化させた時点からタイマなどで計時し所定時間（つまり、上述の所定期間の時間長）が経過すると、可変抵抗部ＶＲｔの抵抗値を第１抵抗値に変化させる。これにより、測定動作開始時には、アンプ回路１３の入力インピーダンスが高い状態となり、測定動作期間において、センサ出力信号が適切にアンプ回路１３に入力される。
【００５２】
このため、直流定電流の供給開始に対する前段回路（カップリングＣｃ、抵抗Ｒｉｎ、可変抵抗部ＶＲｔなど）の過渡応答が短時間で収束し、短時間で信号処理部１４の測定動作開始が可能となる。
【００５３】
なお、実施の形態３に係る測定装置のその他の構成および動作については実施の形態１と同様であるので、その説明を省略する。
【００５４】
以上のように、上記実施の形態３によれば、実施の形態１および実施の形態２と同様に、時定数制御部１５は、上述の所定期間においてアンプ回路１３の前段回路の時定数を小さくする制御を行うことで、直流定電流供給開始時の過渡応答を短時間で収束させる。これにより、定電流駆動方式の測定装置での測定開始時における待機時間が短く設定できる。
【００５５】
実施の形態４．
【００５６】
図４は、本発明の実施の形態４に係る測定装置の構成を示す回路図である。
【００５７】
実施の形態４では、インピーダンス部１７は、（ａ）抵抗Ｒｉｎと直列に接続された抵抗Ｒｔと、（ｂ）抵抗Ｒｉｎと並列に接続され当該部分の回路を閉状態または開状態にするスイッチ部ＳＷとを備える。具体的には、実施の形態１，２においては、時定数制御部１５が抵抗Ｒｉｎに対して並列な抵抗成分の接続および切断の制御を行っているが、実施の形態４では、抵抗Ｒｉｎに対して直列に抵抗Ｒｔが接続され、上述の所定期間において、抵抗Ｒｉｎがバイパスされる。つまり、抵抗Ｒｉｎの両端が短絡されると、抵抗Ｒｉｎは電気的に無効となる。
【００５８】
図４に示す測定装置では、抵抗Ｒｔが抵抗Ｒｉｎに直列に接続されており、実施の形態１におけるスイッチ部ＳＷが抵抗Ｒｉｎに並列に接続されている。コントローラ１５ａは、上述の所定期間においては、スイッチ部ＳＷを閉状態とし、測定動作期間においては、スイッチ部ＳＷを開状態とする。これにより、上述の所定期間においては、アンプ回路１３の前段回路の時定数が、抵抗Ｒｔの抵抗値とカップリングキャパシタＣｃの静電容量値との積となり、測定動作期間においては、アンプ回路１３の入力インピーダンスは、抵抗Ｒｉｎと抵抗Ｒｔとの和となる。したがって、抵抗Ｒｔの抵抗値を抵抗Ｒｉｎより十分小さく設定することで、上述の所定期間におけるアンプ回路１３の前段回路の時定数が小さくなるとともに、測定動作期間におけるアンプ回路１３の入力インピーダンスが十分大きくなる。
【００５９】
なお、スイッチ部ＳＷを実施の形態２における手動スイッチＳＷ１に変更するようにしてもよい。その場合、実施の形態２と同様に、コントローラ１５ａおよび電流センサ１２は特に必要としない。
【００６０】
なお、実施の形態４に係る測定装置のその他の構成および動作については実施の形態１または実施の形態２と同様であるので、その説明を省略する。また、実施の形態４において、抵抗Ｒｔは、可変抵抗としてもよい。さらに、実施の形態４において、スイッチ部ＳＷおよびコントローラ１５ａを、実施の形態２の手動スイッチＳＷ１に変更してもよい（その場合、電流センサ１２は特に必要としない）。さらに、実施の形態４において、スイッチ部ＳＷおよび抵抗Ｒｔを、実施の形態３の可変抵抗部ＶＲｔに変更してもよい。
【００６１】
以上のように、上記実施の形態４によれば、実施の形態１〜３と同様に、時定数制御部１５は、上述の所定期間においてアンプ回路１３の前段回路の時定数を小さくする制御を行うことで、直流定電流供給開始時の過渡応答を短時間で収束させる。これにより、定電流駆動方式の測定装置での直流定電流供給開始時における待機時間が短く設定できる。
【００６２】
実施の形態５．
【００６３】
図５は、本発明の実施の形態５に係る測定装置の構成を示す回路図である。
【００６４】
実施の形態５では、抵抗Ｒｉｎが可変抵抗部ＶＲｉｎを備え、コントローラ１５ａは、可変抵抗部ＶＲｉｎの抵抗値を制御し、上述の所定期間において、可変抵抗部ＶＲｉｎの抵抗値を測定動作期間における第１抵抗値より低い第２抵抗値にすることで、アンプ回路１３の前段回路の時定数を、上述の第１抵抗値と前記カップリングキャパシタの静電容量値とに基づく所定の時定数より小さくする。
【００６５】
なお、可変抵抗部ＶＲｉｎとしては、例えば、デジタルポテンショメータ、電子ボリュームなどが使用される。また、実施の形態５において、可変抵抗部ＶＲｉｎに対して直列に抵抗Ｒｔが設けられていてもよい。
【００６６】
次に、実施の形態５に係る測定装置の動作について説明する。
【００６７】
実施の形態３では、コントローラ１５ａは、電流センサ１２によって上述の直流定電流の供給開始が検知されると、可変抵抗部ＶＲｉｎの抵抗値を第１抵抗値から第２抵抗値へ変化させる。これにより、アンプ回路１３の前段回路の時定数が、可変抵抗部ＶＲｉｎの第２抵抗値とカップリングキャパシタＣｃの静電容量値との積となり、可変抵抗部ＶＲｉｎの抵抗値が第１抵抗値であるときより小さくなる。
【００６８】
このため、直流定電流の供給開始に対する前段回路（カップリングＣｃ、抵抗Ｒｉｎ、可変抵抗部ＶＲｔなど）の過渡応答が短時間で収束し、短時間で信号処理部１４の測定動作開始が可能となる。
【００６９】
コントローラ１５ａは、可変抵抗部ＶＲｉｎの抵抗値を第２抵抗値へ変化させた時点からタイマなどで計時し所定時間（つまり、上述の所定期間の時間長）が経過すると、可変抵抗部ＶＲｉｎの抵抗値を第１抵抗値に変化させる。これにより、測定動作開始時には、アンプ回路１３の入力インピーダンスが高い状態となり、測定動作期間において、センサ出力信号が適切にアンプ回路１３に入力される。
【００７０】
なお、実施の形態５に係る測定装置のその他の構成および動作については実施の形態１と同様であるので、その説明を省略する。
【００７１】
以上のように、上記実施の形態５によれば、実施の形態１〜４と同様に、時定数制御部１５は、上述の所定期間においてアンプ回路１３の前段回路の時定数を小さくする制御を行うことで、直流定電流供給開始時の過渡応答を短時間で収束させる。これにより、定電流駆動方式の測定装置での直流定電流供給開始時における待機時間が短く設定できる。
【００７２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７３】
例えば、上記実施の形態１〜５では、アンプ回路１３の前段回路の抵抗成分の値を変化させて時定数を変化させているが、その代わりに、あるいは併せて静電容量成分の値（カップリングキャパシタＣｃの静電容量値など）を変化させて時定数を同様に変化させるようにしてもよい。
【００７４】
また、上記実施の形態１，２，４において、スイッチ部ＳＷと手動スイッチ部ＳＷ１とを並列に設け、ユーザの操作、および電流センサ１２による直流定電流供給開始の検出のいずれによっても、時定数制御部１５が、所定期間においてアンプ回路１３の前段回路の時定数を上述のように小さくするように制御を行ってもよい。
【００７５】
また、上記実施の形態１〜５では、測定装置の一例として音響振動計測器を示しているが、定電流駆動方式を採用する他の測定装置でも勿論よい。
【産業上の利用可能性】
【００７６】
本発明は、例えば、音響振動計測器などといった測定装置に適用可能である。
【符号の説明】
【００７７】
１１  直流定電流回路
１２  電流センサ
１３  アンプ回路
１４  信号処理部
１５  時定数制御部
１５ａ  コントローラ
１６  前段回路
１７  インピーダンス部
Ｃｃ  カップリングキャパシタ
Ｒｉｎ  抵抗
Ｒｔ  抵抗
ＳＷ  スイッチ部
ＳＷ１  手動スイッチ部（スイッチ部の一例）
ＶＲｔ，ＶＲｉｎ  可変抵抗部
【図１】
2020178255.tif 000003
【図２】
2020178255.tif 000004
【図３】
2020178255.tif 000005
【図４】
2020178255.tif 000006
【図５】
2020178255.tif 000007